(57)【要約】【課題】画像接合時の演算量を大幅に減少させ、また、指紋画像変形の確率を低下させて、諮問識別率を大幅に増加させることが出来る指紋検知方法を提供する。【解決手段】本発明の指紋検知方法は、まず、被測体を提供し、被測体を、画像捕捉領域上に置いて滑動させ、同時に、画像捕捉領域に、測量時間内に、順に、複数の第一画像を、画像処理器中に生成させ、画像処理器は、各第一画像の重畳部分を対照して、第一移動速度を生成する。この画像捕捉領域は、第一移動速度により、画像を捕捉し、複数の第二画像を、画像処理器中に生成し、画像処理器は、順に、各第二画像を指紋画像に組成する。【選択図】図３
2006099811.tif 000002
【特許請求の範囲】
【請求項１】
指紋検知方法であって、線形指紋識別装置に提供し、前記線形指紋識別装置は、画像捕捉領域、及び、画像処理器からなり、前記指紋検知方法は、
被測体を提供し、前記被測体を、前記画像捕捉領域上に置いて滑動させ、同時に、前記画像捕捉領域に、画像の捕捉を実行させ、前記画像捕捉領域は、測量時間内に、順に、複数の第一画像を、前記画像処理器中に生成する工程と、        
前記画像処理器は、前記の各第一画像の重畳部分を対照して、第一移動速度を生成する工程と、
前記画像捕捉領域は、前記第一移動速度により、画像を捕捉し、複数の第二画像を、前記画像処理器中に生成し、前記画像処理器は、順に、前記の各第二画像を組成して、指紋画像にする工程と、
からなることを特徴とする指紋検知方法。
【請求項２】
前記画像処理器中、更に、少なくとも一つの標準指紋画像を保存し、前記指紋画像を対照することを特徴とする請求項１に記載の指紋検知方法。
【請求項３】
前記画像捕捉領域は、電荷結合素子、及び、CMOSの一つを有することを特徴とする請求項１に記載の指紋検知方法。
【請求項４】
前記画像捕捉領域が捕捉する画像の長さは、少なくとも４画素、幅は、少なくとも１２８画素であることを特徴とする請求項１に記載の指紋検知方法。
【請求項５】
前記第一移動速度が生成された後、更に、微調整工程を有し、前記画像捕捉領域は、複数の第三画像を捕捉し、前記画像処理器は、前記の各第三画像の重畳部分を対照し、第二移動速度を生成し、前記第二移動速度と前記第一移動速度を比較して、両者が相同、或いは、誤差範囲内であるとき、次の工程を実行し、両者が異なる、或いは、誤差範囲内でないとき、前記微調整を繰り返すと共に、前記第二移動速度と比較することを特徴とする請求項１に記載の指紋検知方法。
【請求項６】
前記誤差範囲は、１／４画素で、且つ、前記誤差範囲は、前記画像処理器内に保存されることを特徴とする請求項５に記載の指紋検知方法。
【請求項７】
前記第一移動速度が、前記誤差範囲内であるとき、前記画像処理器は、前記誤差範囲により、前記の各第二画像の固定余分画像を計算することを特徴とする請求項５に記載の指紋検知方法。
【請求項８】
前記固定余分画像の範囲は、０〜１／４画素間であることを特徴とする請求項７に記載の指紋検知方法。
【発明の詳細な説明】
【技術分野】
【０００１】
本発明は、指紋検知方法に関するものであって、特に、演算量が少なく、低電力の指紋検知方法に関するものである。
【背景技術】
【０００２】
公知のスキャンセンサーは、固定速度で画像を捕捉し、各画像は、指の移動速度の差により、異なる量の重複画像を有し、画像出力後、画像処理器は、各画像と次の画像の最適重合部分を探し出して、その部分を削除し、一つの完全な指紋に合成する。
【０００３】
しかし、センサーの画像捕捉の時期の影響で、各画像の最適重合部分は、相似しているが、不相同で、誤差量は、０〜正負１／２画素（pixel）間で、画像の接合回数が増加するにつれて、誤差量も累積し、指紋画像が変形する主な原因となる。また、指紋画像を捕捉する指の移動速度が異なるので、累積誤差量も異なり、指紋識別ソフトの対照が非常に困難で、識別率を低下させる。現在、この種の誤差を処理するのは、内挿法により解決し、それは、画像の重合部分から、誤差量を計算し、更に、未重合の画像部分を、相隣する二点間から、内差法により、新たに、一点の画像を生成するもので、この点のシフト量が、計算された誤差量である。この方法は、理論上、画像のつなぎ困難を解決するが、この種の方法は、演算量が多く、低演算量、且つ、低電力消耗のプラットホームには適さない。
【発明の開示】
【発明が解決しようとする課題】
【０００４】
よって、本発明は、指紋検知方法を提供し、効果的に、画像接合時の演算量を減少させ、消耗電力を減少させることを目的とする。
【０００５】
本発明は、指紋検知方法を提供し、指紋画像の変形の確率を減少させ、指紋識別率を増加させることをもう一つの目的とする。
【課題を解決するための手段】
【０００６】
上述の目的を達成するため、本発明の指紋検知方法は、被測体を提供し、被測体を、線形の指紋識別装置の画像捕捉領域上に置いて滑動させ、同時に、画像捕捉領域に、画像の捕捉を実行させ、画像捕捉領域は、測量時間内に、順に、複数の第一画像を、画像処理器中に生成し、画像処理器は、順に、各第一画像の重畳部分を対照して、第一移動速度を生成する。この画像捕捉領域は、第一移動速度により、画像を捕捉し、複数の第二画像を、画像処理器中に生成し、画像処理器は、順に、各第二画像を組成して、指紋画像にする。
【発明の効果】
【０００７】
本発明の指紋検知方法は、大幅に、演算量を減少させ、低電力であり、また、指紋画像の変形の確率を減少させ、指紋識別率を増加させるという利点がある。
【発明を実施するための最良の形態】
【０００８】
以下、本考案の実施例について、図面を参照しながら説明する。
【実施例１】
【０００９】
本発明の指紋検知方法は、線形指紋識別装置に提供し、図１で示されるように、線形指紋識別装置１０内に、画像捕捉領域１２、及び、画像処理器１４を有する。画像捕捉領域１２は、電荷結合素子（Charge−Coupled  Device、CCD）、及び、CMOSの一つを有し、且つ、この画像捕捉領域１２が捕捉する画像の長さは、少なくとも４画素、幅は、少なくとも１２８画素である。画像処理器１４内に、標準指紋画像１６、及び、誤差範囲１８を保存し、この誤差範囲１８は、測量時に許容される人的誤差、例えば、指の移動速度等の要素で、誤差範囲１８は、１／４画素以下である。
【００１０】
図２を参照すると、指紋検知方法は、まず、工程１０において、被測体２０を提供する。この被測体２０は、操作者の指の指紋である。次に、工程１２において、被測体２０を、画像捕捉領域１２上に置いて、上から下に、一度、滑動させると同時に、画像捕捉領域１２に、画像捕捉を実行させる。工程１２中、画像捕捉領域１２は、測量時間内に、順に、少なくとも３つの第一画像を、画像処理器１４中に生成する。続いて、工程１４で、この画像処理器１４は、順に、各第一画像の重畳部分を対照して、第一移動速度を計算する。工程１６で、画像捕捉領域１２に、第一移動速度により、画像を捕捉させ、複数の第二画像を、画像処理器１４中に生成させる。続いて、工程１８において、画像処理器１４は、順に、各第二画像を指紋画像に組成し、この画像処理器１４は、指紋画像と標準指紋画像１６とを互いに識別する。
【００１１】
しかし、被測体２０の移動速度が、最初、画像捕捉領域１２で画像を獲得する時、不安定な現象が生じやすく、暫時、移動を停止することもある。よって、工程１４と工程１６間に、微調整工程を加えることが必要である。図３を参照すると、この微調整工程は、工程２０から工程２４を連続して実行するもので、工程２０において、画像捕捉領域１２が、少なくとも二つの第三画像を捕捉し、更に、工程２２において、画像処理器１４により、各第三画像の重畳部分を対照して、第二移動速度を生成する。工程２４で、第二移動速度と第一移動速度を比較して、両者が相同、或いは、誤差範囲１８内であるとき、次の工程を実行し、両者が異なる、或いは、誤差範囲１８内でないとき、誤差比例に従って、第一移動速度を調整すると共に、微調整を繰り返す。
【００１２】
第二移動速度と第一移動速度が相同である場合、工程１６〜工程１８を実行し、画像処理器１４は、指紋画像と標準指紋画像１６を相互に識別する。
【００１３】
第二移動速度と第一移動速度の差が、誤差範囲１８であるとき、工程２６を実行し、画像処理器１４は、誤差範囲１８に従って、各第三画像の固定余分画像を計算する。この固定余分画像の範囲は、０画素〜１／４画素の間で、最後に、工程２８において、画像処理器１４は、順に、各第三画像を組み合わせる時、この固定余分画像は控除され、指紋画像を組成すると共に、標準指紋画像１６と互いに識別する。
【００１４】
本発明は、予め、指の移動速度を検出することにより、画像処理器１４が、画像を接合する時に、演算量を大幅に減少させ、指紋識別装置１０は、消耗電力が大幅に減少する。この他、先に、指の移動速度を検出し、画像捕捉領域１２が捕捉する画像が、画像をつなぐ時に変形する率を低下させ、指紋識別率を増加させる。
【００１５】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【００１６】
【図１】本発明の構造を示した説明図である。
【図２】本発明の操作を示した工程図である。
【図３】本発明の微調整工程を有する工程図である。
【符号の説明】
【００１７】
１０…指紋識別装置
１２…画像捕捉領域
１４…画像処理器
１６…標準指紋画像
１８…誤差範囲
２０…被測体
【図１】
2006099811.tif 000003
【図２】
2006099811.tif 000004
【図３】
2006099811.tif 000005